(57)【要約】【課題】既存のＤＶＤのタイプ識別情報の表現形態と互換性を保持しつつも、タイプの増加に対しても容易に拡張できる情報記録媒体を提供する。【解決手段】本発明に係る情報記録媒体は、ディスクの種類を特定するディスクタイプ識別コードが所定のエリアに記録される情報記録媒体において、ディスクタイプ識別コードは、第１のグループに分類されるディスクの種類を特定する第１のディスクタイプ識別コードと、第２のグループに分類されるディスクの種類を特定する第２のディスクタイプ識別コードと、第１のディスクタイプ識別コードおよび第２のディスクタイプ識別コードのいずれか一方を有効とし、他方を無効とする判断フラグと、を備えて構成される、ことを特徴とする。【選択図】  図４
2008034036.tif 000002
【特許請求の範囲】
【請求項１】
ディスクの種類を特定するディスクタイプ識別コードが所定のエリアに記録される情報記録媒体において、
前記ディスクタイプ識別コードは、
第１のグループに分類されるディスクの種類を特定する第１のディスクタイプ識別コードと、
第２のグループに分類されるディスクの種類を特定する第２のディスクタイプ識別コードと、
前記第１のディスクタイプ識別コードおよび前記第２のディスクタイプ識別コードのいずれか一方を有効とし、他方を無効とする判断フラグと、
を備えて構成される、
ことを特徴とする情報記録媒体。
【請求項２】
前記ディスクタイプ識別コードは、
前記第１のディスクタイプ識別コードを表す上位４ビットと、
下位４ビットから構成される１バイトのコードであり、
前記判断フラグ及び前記第２のディスクタイプ識別コードは、前記下位４ビットを用いて表現される、
ことを特徴とする請求項１に記載の情報記録媒体。
【請求項３】
前記下位４ビットのうちの最上位ビットが前記判断フラグであり、この判断フラグが「１」のとき、前記第１のディスクタイプ識別コードを無効とする一方、前記第２のディスクタイプ識別コードを有効とする、
ことを特徴とする請求項２に記載の情報記録媒体。
【請求項４】
前記判断フラグが、前記第１のディスクタイプ識別コードが無効であり、前記第２のディスクタイプ識別コードが有効であることを示す場合には、前記第１のディスクタイプ識別コードの４ビットを総て「０」に設定する、
ことを特徴とする請求項２又は３に記載の情報記録媒体。
【請求項５】
前記ディスクタイプ識別コードは、
前記第１のディスクタイプ識別コードを表す上位４ビットと下位４ビットから構成される１バイトのコードと、
前記１バイトのコードが設けられる領域と異なる領域に設けられる前記第２のディスクタイプ識別コードとを備えて構成され、
前記判断フラグは、前記１バイトのコードの下位４ビットの中に設けられる、
ことを特徴とする請求項１に記載の情報記録媒体。
【請求項６】
前記ディスクタイプ識別コードは、
前記第１のディスクタイプ識別コードを表す上位４ビットと下位４ビットから構成される１バイトのコードと、
前記１バイトのコードが設けられる領域と異なる領域に設けられる前記第２のディスクタイプ識別コードと、
前記１バイトのコードおよび前記第２のディスクタイプ識別コードが設けられる領域と異なる領域に設けられる前記判断フラグと、
を備えて構成されることを特徴とする請求項１に記載の情報記録媒体。
【請求項７】
前記第１のグループに分類されるディスクの種類は、ＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭ、ＨＤ  ＤＶＤ−ＲＯＭ、ＨＤ  ＤＶＤ−Ｒ、ＨＤ  ＤＶＤ−ＲＷ、およびＨＤ  ＤＶＤ−ＲＡＭの何れかの種類であり、前記第２のグループに分類されるディスクの種類は、これら以外の種類である、
ことを特徴とする請求項１に記載の情報記録媒体。
【請求項８】
挿入された情報記録媒体の種類を判定するディスク種類判定部と、
前記ディスク種類判定部にて判定された種類に基づいて、前記情報記録媒体を再生又は前記情報記録媒体に記録する情報再生記録部と、
を具備する情報記録再生装置において、
前記情報記録媒体の所定のエリアに記録されるディスクタイプ識別コードは、
第１のグループに分類されるディスクの種類を特定する第１のディスクタイプ識別コードと、
第２のグループに分類されるディスクの種類を特定する第２のディスクタイプ識別コードと、
前記第１のディスクタイプ識別コードおよび前記第２のディスクタイプ識別コードのいずれか一方を有効とし、他方を無効とする判断フラグと、
を備えて構成され、
前記ディスク種類判定部は、
前記第１のディスクタイプ識別コードと前記第２のディスクタイプ識別コードのうち、前記判断フラグが有効とする方のコードに基づいて前記情報記録媒体の種類を判定する、
ことを特徴とする情報記録再生装置。
【請求項９】
前記ディスクタイプ識別コードは、
前記第１のディスクタイプ識別コードを表す上位４ビットと、
下位４ビットから構成される１バイトのコードであり、
前記判断フラグ及び前記第２のディスクタイプ識別コードは、前記下位４ビットを用いて表現される、
ことを特徴とする請求項８に記載の情報記録再生装置。
【請求項１０】
前記下位４ビットのうちの最上位ビットが前記判断フラグであり、この判断フラグが「１」のとき、前記第１のディスクタイプ識別コードを無効とする一方、前記第２のディスクタイプ識別コードを有効とする、
ことを特徴とする請求項９に記載の情報記録再生装置。
【請求項１１】
前記判断フラグが、前記第１のディスクタイプ識別コードが無効であり、前記第２のディスクタイプ識別コードが有効であることを示す場合には、前記第１のディスクタイプ識別コードの４ビットを総て「０」に設定する、
ことを特徴とする請求項９又は１０に記載の情報記録再生装置。
【請求項１２】
前記ディスクタイプ識別コードは、
前記第１のディスクタイプ識別コードを表す上位４ビットと下位４ビットから構成される１バイトのコードと、
前記１バイトのコードが設けられる領域と異なる領域に設けられる前記第２のディスクタイプ識別コードとを備えて構成され、
前記判断フラグは、前記１バイトのコードの下位４ビットの中に設けられる、
ことを特徴とする請求項８に記載の情報記録再生装置。
【請求項１３】
前記ディスクタイプ識別コードは、
前記第１のディスクタイプ識別コードを表す上位４ビットと下位４ビットから構成される１バイトのコードと、
前記１バイトのコードが設けられる領域と異なる領域に設けられる前記第２のディスクタイプ識別コードと、
前記１バイトのコードおよび前記第２のディスクタイプ識別コードが設けられる領域と異なる領域に設けられる前記判断フラグと、
を備えて構成されることを特徴とする請求項８に記載の情報記録再生装置。
【請求項１４】
前記第１のグループに分類されるディスクの種類は、ＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭ、ＨＤ  ＤＶＤ−ＲＯＭ、ＨＤ  ＤＶＤ−Ｒ、ＨＤ  ＤＶＤ−ＲＷ、およびＨＤ  ＤＶＤ−ＲＡＭの何れかの種類であり、前記第２のグループに分類されるディスクの種類は、これら以外の種類である、
ことを特徴とする請求項８に記載の情報記録再生装置。
【請求項１５】
挿入された情報記録媒体の種類を判定し、
前記ディスク種類判定部にて判定された種類に基づいて、前記情報記録媒体を再生又は前記情報記録媒体に記録する、
を具備する情報記録再生方法において、
前記情報記録媒体の所定のエリアに記録されるディスクタイプ識別コードは、
第１のグループに分類されるディスクの種類を特定する第１のディスクタイプ識別コードと、
第２のグループに分類されるディスクの種類を特定する第２のディスクタイプ識別コードと、
前記第１のディスクタイプ識別コードおよび前記第２のディスクタイプ識別コードのいずれか一方を有効とし、他方を無効とする判断フラグと、
を備えて構成され、
前記第１のディスクタイプ識別コードと前記第２のディスクタイプ識別コードのうち、前記判断フラグが有効とする方のコードに基づいて前記情報記録媒体の種類を判定する、
ことを特徴とする情報記録再生方法。
【請求項１６】
前記ディスクタイプ識別コードは、
前記第１のディスクタイプ識別コードを表す上位４ビットと、
下位４ビットから構成される１バイトのコードであり、
前記判断フラグ及び前記第２のディスクタイプ識別コードは、前記下位４ビットを用いて表現される、
ことを特徴とする請求項１５に記載の情報記録再生方法。
【請求項１７】
前記下位４ビットのうちの最上位ビットが前記判断フラグであり、この判断フラグが「１」のとき、前記第１のディスクタイプ識別コードを無効とする一方、前記第２のディスクタイプ識別コードを有効とする、
ことを特徴とする請求項１６に記載の情報記録再生方法。
【請求項１８】
前記判断フラグが、前記第１のディスクタイプ識別コードが無効であり、前記第２のディスクタイプ識別コードが有効であることを示す場合には、前記第１のディスクタイプ識別コードの４ビットを総て「０」に設定する、
ことを特徴とする請求項１６又は１７に記載の情報記録再生方法。
【請求項１９】
前記ディスクタイプ識別コードは、
前記第１のディスクタイプ識別コードを表す上位４ビットと下位４ビットから構成される１バイトのコードと、
前記１バイトのコードが設けられる領域と異なる領域に設けられる前記第２のディスクタイプ識別コードとを備えて構成され、
前記判断フラグは、前記１バイトのコードの下位４ビットの中に設けられる、
ことを特徴とする請求項１５に記載の情報記録再生方法。
【請求項２０】
前記ディスクタイプ識別コードは、
前記第１のディスクタイプ識別コードを表す上位４ビットと下位４ビットから構成される１バイトのコードと、
前記１バイトのコードが設けられる領域と異なる領域に設けられる前記第２のディスクタイプ識別コードと、
前記１バイトのコードおよび前記第２のディスクタイプ識別コードが設けられる領域と異なる領域に設けられる前記判断フラグと、
を備えて構成されることを特徴とする請求項１５に記載の情報記録再生方法。
【請求項２１】
前記第１のグループに分類されるディスクの種類は、ＤＶＤ−ＲＯＭ、ＤＶＤ−Ｒ、ＤＶＤ＋Ｒ、ＤＶＤ−ＲＷ、ＤＶＤ＋ＲＷ、ＤＶＤ−ＲＡＭ、ＨＤ  ＤＶＤ−ＲＯＭ、ＨＤ  ＤＶＤ−Ｒ、ＨＤ  ＤＶＤ−ＲＷ、およびＨＤ  ＤＶＤ−ＲＡＭの何れかの種類であり、前記第２のグループに分類されるディスクの種類は、これら以外の種類である、
ことを特徴とする請求項１５に記載の情報記録再生方法。
【発明の詳細な説明】
【技術分野】
【０００１】
本発明は、情報記録媒体、情報記録再生装置、および情報記録再生方法に係り、特に、ＤＶＤ等の情報記録媒体、ＤＶＤ等を再生し或いはＤＶＤ等へ記録する情報記録再生装置、および情報記録再生方法に関する。
【背景技術】
【０００２】
今日、情報記録媒体としての光ディスクが各方面で使用されている。特に、ＤＶＤ（Digital  Versatile  Disk）は、ＣＤ（Compact  Disk）に比べると記憶容量が格段に増大されているため、パーソナルコンピュータ等の情報処理装置の記録媒体として、また各種映像や音声の記録媒体として広く普及している。
【０００３】
また、近時は、従来のＤＶＤに対してさらに記憶容量を増加させたＨＤ  ＤＶＤ等の高密度型のＤＶＤも実用段階に入ってきた。
【０００４】
従来型のＤＶＤ（以下、単にＤＶＤという）やＨＤ  ＤＶＤには、幾つかの「タイプ」が存在する。
【０００５】
ＤＶＤの「タイプ」としては、再生専用のＤＶＤ−ＲＯＭ、追記型（ユーザによる１回の書き込みが可能）のＤＶＤ−ＲやＤＶＤ＋Ｒ、複数回の書き換えが可能なＤＶＤ−ＲＷ、ＤＶＤ＋ＲＷ、又はＤＶＤ−ＲＡＭ等がある。
【０００６】
また、ＨＤ  ＤＶＤの「タイプ」としても、再生専用のＨＤ  ＤＶＤ−ＲＯＭ、追記型のＨＤ  ＤＶＤ−Ｒ、複数回の書き換えが可能なＨＤ  ＤＶＤ−ＲＷやＨＤ  ＤＶＤ−ＲＡＭが存在する。
【０００７】
ＤＶＤやＨＤ  ＤＶＤでは、各「タイプ」に対応する規格書が存在し、この規格書の中でデータフォーマットや記録、再生方法等がそれぞれ規定されており、「タイプ」によってその内容はそれぞれ異なっている。従って、ＤＶＤやＨＤ  ＤＶＤに対して適性に記録し、或いは適正に再生するためには、各「タイプ」に適合したデータフォーマットや記録、再生方法等が必要となる。
【０００８】
このため、ＤＶＤやＨＤ  ＤＶＤの所定の領域には、「タイプ」を特定するための識別情報が予め記録されており、この識別情報をディスクドライブ装置が読み取り、挿入されたディスクの「タイプ」を特定する手法をとっている。
【０００９】
非特許文献１には、上記の各「タイプ」に対応する規格書が開示されている。例えば、ＤＶＤ−ＲＯＭの規格書として「ＥＣＭＡ２６２」が、ＤＶＤ−Ｒの規格書として「ＥＣＭＡ３５９」等が夫々開示されている。これらの規格書には、ＤＶＤの「タイプ」を特定するための識別情報やそのディスク上の記録場所が規定されている。
【００１０】
具体的には、ディスク上のリードインエリアと呼ばれる特定の領域に「ディスクカテゴリ・バージョン番号（Disk  Category  and  Version  Number）」と呼ばれる１バイト（８ビット）の識別情報の記録エリアが設けられており、この記録エリアに「タイプ」を特定するための４ビットの「ディスクカテゴリ」情報が「バージョン番号」情報（４ビット）と共に記録される規定となっている。
【００１１】
「ディスクカテゴリ」情報は、「ＲＯＭ」、「−Ｒ」、「＋Ｒ」、「ＲＡＭ」等のディスクの「タイプ」を特定する情報であり、「バージョン番号」情報は規格書のバージョン番号に対応する情報である。
【非特許文献１】Ecma International “Index of Ecma Standards”、[online]、[平成１８年７月１９日検索]、インターネット＜URL:http://www.ecma-international.org/publications/standards/Stnindex.htm＞
【発明の開示】
【発明が解決しようとする課題】
【００１２】
上述したように、現在の規格ではディスクの「タイプ」を特定する「ディスクカテゴリ」情報には、４ビットのコードが割り当てられている。さらに、この４ビットのうち、上位の１ビットは「＋Ｒ」タイプのディスクと「＋ＲＷ」タイプの２つのディスクに専用に割り当てられている。
【００１３】
このため、実質的には残りの３ビットで、ＤＶＤの他の４つのタイプ（ＤＶＤ−ＲＯＭ、ＤＶＤ−Ｒ、ＤＶＤ−ＲＷ、およびＤＶＤ−ＲＡＭ）と、４つのＨＤ  ＤＶＤのタイプ（ＨＤ  ＤＶＤ−ＲＯＭ、ＨＤ  ＤＶＤ−Ｒ、ＨＤ  ＤＶＤ−ＲＷ、およびＨＤ  ＤＶＤ−ＲＡＭ）を表している。
【００１４】
即ち、現存するディスクの「タイプ」だけで既に「ディスクカテゴリ」情報の４ビットは使いきった状態となっている。従って、現在の識別情報の表現形態では、今後新たな「タイプ」のディスクが出現した場合、その「タイプ」を表現できないという問題がある。
【００１５】
本発明は、上記事情に鑑みてなされたもので、既存のＤＶＤのタイプ識別情報の表現形態と互換性を保持しつつも新たな「タイプ」の増加に対しても容易に拡張できるタイプ識別情報、を具備する情報記録媒体、その情報記録媒体を記録、再生する情報記録再生装置、およびその情報記録媒体を記録再生する情報記録再生方法を提供することを目的とする。
【課題を解決するための手段】
【００１６】
上記課題を解決するため、本発明に係る情報記録媒体は、ディスクの種類を特定するディスクタイプ識別コードが所定のエリアに記録される情報記録媒体において、前記ディスクタイプ識別コードは、第１のグループに分類されるディスクの種類を特定する第１のディスクタイプ識別コードと、第２のグループに分類されるディスクの種類を特定する第２のディスクタイプ識別コードと、前記第１のディスクタイプ識別コードおよび前記第２のディスクタイプ識別コードのいずれか一方を有効とし、他方を無効とする判断フラグと、を備えて構成される、ことを特徴とする。
【００１７】
また、上記課題を解決するため、本発明に係る情報記録再生装置は、挿入された情報記録媒体の種類を判定するディスク種類判定部と、前記ディスク種類判定部にて判定された種類に基づいて、前記情報記録媒体を再生又は前記情報記録媒体に記録する情報再生記録部と、を具備する情報記録再生装置において、前記情報記録媒体の所定のエリアに記録されるディスクタイプ識別コードは、第１のグループに分類されるディスクの種類を特定する第１のディスクタイプ識別コードと、第２のグループに分類されるディスクの種類を特定する第２のディスクタイプ識別コードと、前記第１のディスクタイプ識別コードおよび前記第２のディスクタイプ識別コードのいずれか一方を有効とし、他方を無効とする判断フラグと、を備えて構成され、前記ディスク種類判定部は、前記第１のディスクタイプ識別コードと前記第２のディスクタイプ識別コードのうち、前記判断フラグが有効とする方のコードに基づいて前記情報記録媒体の種類を判定する、ことを特徴とする。
【００１８】
また、上記課題を解決するため、本発明に係る情報記録再生方法は、挿入された情報記録媒体の種類を判定し、前記ディスク種類判定部にて判定された種類に基づいて、前記情報記録媒体を再生又は前記情報記録媒体に記録する、情報記録再生方法において、前記情報記録媒体の所定のエリアに記録されるディスクタイプ識別コードは、第１のグループに分類されるディスクの種類を特定する第１のディスクタイプ識別コードと、第２のグループに分類されるディスクの種類を特定する第２のディスクタイプ識別コードと、前記第１のディスクタイプ識別コードおよび前記第２のディスクタイプ識別コードのいずれか一方を有効とし、他方を無効とする判断フラグと、を備えて構成され、前記第１のディスクタイプ識別コードと前記第２のディスクタイプ識別コードのうち、前記判断フラグが有効とする方のコードに基づいて前記情報記録媒体の種類を判定する、ことを特徴とする。
【発明の効果】
【００１９】
本発明に係る情報記録媒体、情報記録再生装置、および情報記録再生方法によれば、既存のＤＶＤのタイプ識別情報の表現形態と互換性を保持しつつも、新たな「タイプ」の増加に対しても容易に拡張できる。
【発明を実施するための最良の形態】
【００２０】
本発明に係る情報記録媒体、情報記録再生装置、および情報記録再生方法の実施形態について、添付図面を参照して説明する。
【００２１】
（１）情報記録媒体
図１は、本実施形態に係る情報記録媒体１００の構成例を示す図である。情報記録媒体１００は、例えば従来型のＤＶＤや、高密度記録型のＨＤ  ＤＶＤである。
【００２２】
情報記録媒体１００の大部分の領域は、「データエリア」で占められており、各種の情報データや音声・画像データ等が記録される。従来型ＤＶＤの「データエリア」の内周と外周には、「リードインエリア」と「リードアウトエリア」と呼ばれる領域が設けられている。
【００２３】
一方、ＨＤ  ＤＶＤでは、ディスクの内周側に「システムリードインエリア」と呼ばれる領域があり、その内部に従来型ＤＶＤと同等の「リードインエリア」が設けられている。同様に、ディスクの外周側に「システムリードアウトエリア」と呼ばれる領域があり、その内部に従来型ＤＶＤと同等の「リードアウトエリア」が設けられている。
【００２４】
ディスク（従来型のＤＶＤ及びＨＤ  ＤＶＤ）のタイプ（種類）を特定するための識別情報は、これらの領域のうちの「リードインエリア」に記録されている。
【００２５】
図２は、「リードインエリア」のデータ構造例を示す図である。図２（ａ）に示すように、「リードインエリア」には、「Control  Data  Zone」と呼ばれる領域があり、この内部には、２０４８バイトの「Physical  format  information」を記録する領域が設けられている（図２（ｂ)参照）。
【００２６】
「Physical  format  information」には、ディスクを再生し、或いはディスクに記録する際に必要となる各種の情報やパラメータが記録されている。この「Physical  format  information」の中に、ディスクのタイプを識別するための「Disk  Category  and  Version  Number」と呼ばれる識別情報が１バイト（８ビット）のデータとして含まれている。
【００２７】
「Physical  format  information」に含まれる情報の種類やパラメータの種類は、ディスクのタイプによって異なっているものの、この「Disk  Category  and  Version  Number」については、何れのディスクであっても共通に設けられている。
【００２８】
図２（ｂ）及び図３は、従来から使用されている「Disk  Category  and  Version  Number」のビット割付を示す図である。
【００２９】
「Disk  Category  and  Version  Number」の上位４ビットはディスクのタイプ（ディスクカテゴリ）を表し、下位４ビットは各タイプの詳細仕様を規定する規格書のバージョン番号を表している。
【００３０】
「Disk  Category  and  Version  Number」の上位４ビットのコードによって１６タイプのディスク識別情報を表現することが可能であるが、このうち、最上位ビット（ｂ７）が「１」の８タイプは、「＋Ｒ」と「＋ＲＷ」のタイプのディスクに既に割り当てられているか予約済みとなっている。このため、最上位ビット（ｂ７）が「０」のコード「０＊＊＊」を用いてそれ以外のタイプのディスクを識別する必要がある。
【００３１】
現在、従来型のＤＶＤとして４タイプ、叉ＨＤ  ＤＶＤとして４タイプの合計８タイプが既に規格化されている。具体的には、従来型のＤＶＤの４つのタイプを表す上位４ビットとして、ＤＶＤ−ＲＯＭには「００００」が、ＤＶＤ−Ｒには「００１０」が、ＤＶＤ−ＲＷには「００１１」が、またＤＶＤ−ＲＡＭには「０１１０」が割り当てられて規格化さている。
【００３２】
同様に上記以外の「０＊＊＊」で表されるビットアサインがＨＤ  ＤＶＤ−ＲＯＭ、ＨＤ  ＤＶＤ−Ｒ、ＨＤ  ＤＶＤ−ＲＷ、およびＨＤ  ＤＶＤ−ＲＡＭの４タイプのＨＤ  ＤＶＤとして既に規格化されている。
【００３３】
このように、コード「０＊＊＊」で表現できる８タイプは、既に規格化されているタイプのディスクに総て割り当て済みとなっている。
【００３４】
他方、「Disk  Category  and  Version  Number」の下位４ビットのバージョン番号は、同じタイプのディスクであっても規格書のバージョン更新に伴ってその値も更新されることになるが、現状では、下位４ビットのうちの最上位ビット（ｂ３）は未使用の状態であり、「０」となっている。
【００３５】
また、最近では、バージョンが更新された場合であっても、「Disk  Category  and  Version  Number」の下位４ビットのバージョン番号は固定とし、「Physical  format  information」の他の領域に実際のバージョン番号を記録する規定となっている。
【００３６】
本発明のポイントは、既に規格化されているディスク（第１のグループに分類されるディスク）のタイプを識別するコード（第１のディスクタイプ識別コード）と互換性を維持しつつ、今後新たに出現するディスク（第２のグループに分類されるディスク）のタイプを識別するコード（第２のディスクタイプ識別コード）をも包含するディスクタイプ識別コードを提供する点にある。
【００３７】
図４は、本発明の第１の実施形態に係るディスクタイプ識別コードの例を示す図である。第１の実施形態は、ディスクタイプ識別コードとして、従来の「Disk  Category  and  Version  Number」のコードと共用する形態である。
【００３８】
即ち、ディスクタイプ識別コードとして、従来から存在する「Disk  Category  and  Version  Number」のビットアサインを流用し、上位４ビットは、現ディスクタイプを識別するコード（第１のディスクタイプ識別コード）をそのまま割り当て、下位４ビットに判断フラブ（ｂ３）と第２のディスクタイプ識別コード（ｂ２〜ｂ０）を割り当てる形態である。
【００３９】
前述したように、既存タイプの「Disk  Category  and  Version  Number」の「ｂ３」は未使用であり、「０」が割り当てられている。そこで、この「ｂ３」が「０」の場合には、既存のタイプのディスクであるとディスクドライブ装置に判断させ、「ｂ３」が「１」の場合には新たなタイプのディスクであると判断させることができる。このように、未使用の「ｂ３」を既存のタイプと新たなタイプとの「判断フラグ」として利用することができる。
【００４０】
「ｂ３」が「１」の場合には、さらに「ｂ２」、「ｂ１」、「ｂ０」の３ビットで表現される新ディスクタイプのコード（第２のディスクタイプ識別コード）を読んで、具体的なタイプを特定することができる。
【００４１】
「ｂ３」が「０」の場合は、このディスクタイプ識別コードが従来の「Disk  Category  and  Version  Number」と同じ内容であることを意味している。従って、この場合は上位４ビットを読み、具体的なタイプを特定すると共に、下位４ビットからバージョン番号を読み取る。
【００４２】
本実施形態に係るディスクタイプ識別コードによれば、判断フラグ「ｂ３」が「０」の場合には従来の「Disk  Category  and  Version  Number」と全く同じ処理で既存のタイプを識別可能であり、互換性が確保される。その一方、判断フラグ「ｂ３」が「１」の場合には、新たなディスクタイプの識別にも拡張でき、かつその識別情報を同じバイトデータの下位３ビット（「ｂ２」、「ｂ１」、「ｂ０」）から取得できるため、処理が簡素化される。
【００４３】
図５は、第２の実施形態に係るディスクタイプ識別コードの例を示す図である。第１の実施形態との相違点は、判断フラグ「ｂ３」が「１」の場合に、上位４ビットを「００００」に設定している点である。
【００４４】
前述したように、既存のＤＶＤ−ＲＯＭ（読み出し専用）のタイプ識別コードは「００００」が割り当てられている。このため、仮に新たなタイプを示す判断フラグ「ｂ３」の「１」を「０」と読み誤り、上位４ビットを読みにいった場合でも、ＤＶＤ−ＲＯＭ（読み出し専用）であると認識し、記録型のＤＶＤ（ＤＶＤ−Ｒ，ＤＶＤ−ＲＷ等）と認識することはない。この結果、記録用の強いパワーのレーザを照射してディスクを破壊することを防止できる。
【００４５】
図６は、第３の実施形態に係るディスクタイプ識別コードの例を示す図である。第３の実施形態に係るディスクタイプ識別コードは、従来の「Disk  Category  and  Version  Number」のコードと、その一部である「ｂ３」を利用する判断フラブと、「Physical  format  information」の中の他の領域を使用する新ディスクタイプ用のコード(第２のディスクタイプ識別コード)とから構成されるものである。
【００４６】
「Physical  format  information」は全体で２０４８バイトあり、この中には予備として使用できる領域も存在しうる。この場合には、この予備領域を第２のディスクタイプ識別コードの記録領域に割り当てることができる。第３の実施形態では、「Disk  Category  and  Version  Number」の判断フラグが「１」の場合、さらに他の領域の第２のディスクタイプ識別コードを読みにいく処理が必要となるが、第１、第２の実施形態に比べると広い領域を使用できるため、識別コードの数は多く確保することできる。
【００４７】
図７は、第４の実施形態に係るディスクタイプ識別コードの例を示す図である。第４の実施形態は、第２のディスクタイプ識別コードだけでなく、判断フラグも「Physical  format  information」の予備領域に設ける形態である。
【００４８】
前述したように、「Disk  Category  and  Version  Number」の「ｂ３」は現在未使用であるが、何らかの理由でこのビットが使用され、その結果判断フラグとして利用できなくなった場合には本実施形態が有効である。
【００４９】
（２）情報記録再生装置、および情報記録再生方法
図８は、上述した情報記録媒体１００を再生する、或いは情報記録媒体１００にデータ記録する情報記録再生装置１の構成例を示す図である。
【００５０】
情報記録再生装置１は、情報記録媒体１００を回転駆動するモータ２、情報記録媒体１００から記録情報を読み出し、或いは書き込むピックアップ３、読み出した再生信号を所定のレベルに増幅するＲＦアンプ４、再生信号を復調し再生データを抽出する再生部５１、再生データをホストコンピュータ２００へ出力するインタフェース６、情報記録再生装置１の全体の制御を行う他、ディスク種類判定部７０を有する制御部７、ホストコンピュータから出力される記録用データを所定の記録信号に変換する記録部５０等を備えて構成されている。なお、再生部５１と記録部５０とで情報再生記録部５を構成している。
【００５１】
図９は、上記のように構成された情報記録再生装置１の情報記録再生方法の一例を示すフローチャートである。
【００５２】
情報記録媒体１００が情報記録再生装置１にセットされると、まず第１のディスクタイプ識別コード、判断フラグ、および第２のディスクタイプ識別コードの読み込みを行う（ステップＳＴ１、ステップＳＴ２）。
【００５３】
例えば、図４に示したディスクタイプ識別コードのうち、上位４ビット（ｂ７〜ｂ４）を第１のディスクタイプ識別コードとして読み込み、「ｂ３」を判断フラグとして読み込み、下位３ビット（ｂ２〜ｂ０）を第２のディスクタイプ識別コードとして読み込む。
【００５４】
次に、制御部７のディスク種類判断部７０では、判断フラグの判定を行い、判断フラグが「１」の場合には（ステップＳＴ３のＹＥＳ）、新たなディスクタイプを表す第２のディスクタイプ識別コードは有効であると判断する(ステップＳＴ４)。その後、読み込んだ第２のディスクタイプ識別コードで特定されるディスクタイプに基づいて、セットされた情報記録媒体１００の再生、又は記録処理を行う（ステップＳＴ５）。
【００５５】
一方、判断フラグが「０」の場合には（ステップＳＴ３のＮＯ）、第２のディスクタイプ識別コードは無効であると判断し(ステップＳＴ６)、読み込んだ第１のディスクタイプ識別コードで特定されるディスクタイプ（既存のディスクタイプ）に基づいて、セットされた情報記録媒体１００の再生、又は記録処理を行う（ステップＳＴ７）。
【００５６】
以上説明してきたように、本実施形態によれば、既存のＤＶＤのタイプ識別情報の表現形態と互換性を保持しつつも、新たなタイプの増加に対しても容易に拡張できる。
【００５７】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００５８】
【図１】本発明の一実施形態に係る情報記録媒体の構造例を示す図。
【図２】情報記録媒体に記録されるディスクタイプ識別コードのデータ構造例および記録場所を示す図。
【図３】従来のディスクタイプ識別コードのデータ構造およびビットアサインの内容を示す図。
【図４】本発明の第１の実施形態に係る情報記録媒体におけるディスクタイプ識別コードのデータ構造例を示す図。
【図５】本発明の第２の実施形態に係る情報記録媒体におけるディスクタイプ識別コードのデータ構造例を示す図。
【図６】本発明の第３の実施形態に係る情報記録媒体におけるディスクタイプ識別コードのデータ構造例を示す図。
【図７】本発明の第３の実施形態に係る情報記録媒体におけるディスクタイプ識別コードのデータ構造例を示す図。
【図８】本発明の一実施形態に係る情報記録再生装置の構成例を示す図。
【図９】本発明の一実施形態に係る情報記録再生方法の処理例を示すフローチャート。
【符号の説明】
【００５９】
１  情報記録再生装置
３  ピックアップ
４  ＲＦアンプ
５  情報再生記録部
６  インタフェース
７  制御部
７０  ディスク種類判定部
１００  情報記録媒体
【図１】
2008034036.tif 000003
【図２】
2008034036.tif 000004
【図３】
2008034036.tif 000005
【図４】
2008034036.tif 000006
【図５】
2008034036.tif 000007
【図６】
2008034036.tif 000008
【図７】
2008034036.tif 000009
【図８】
2008034036.tif 000010
【図９】
2008034036.tif 000011